(57)【要約】【課題】肥料散布装置を大型化させることなく構造が簡単で、肥料混合機能を有し、上下方向の高さを低く抑えた肥料散布機を提供する。【解決手段】散布部４下方に設けた変速部５は、水平方向の入力軸５１のケース５０内に固着された第１ベベルギヤ５２と、これと歯合する第２ベベルギヤ５３が固着され垂設された第１回転軸５４と、これと平行に垂設された第２回転軸５５とが設けられ、第１回転軸５４には歯数の異なるギヤが上下２個設けられ、これと歯合するギヤが第２回転軸５５と、第２回転軸５５と同軸上に設けた散布板回転軸５６に固着され、散布板回転軸５６は第２回転軸５５に外嵌されるとともに第２回転軸５５に対し回転自在に設けられ、双方の一端がケース５０外に延設され、ケース５０外の第２回転軸５５にはアジテータ６が連結され、散布板回転軸５６には散布板４０が固着されている肥料散布機による。【選択図】図４
2014233212.tif 000002
【特許請求の範囲】
【請求項１】
肥料を収容するホッパの内部に肥料を撹拌するためのアジテータを設け、ホッパの底板に排出口を設けるとともに、該排出口を開閉するためのシャッタ板をホッパの底板に対しスライド自在に設け、該ホッパの底板排出口とシャッタ板の重合部位で形成される開口穴の開度量により肥料の落下量の調整を行い、排出口下方に設けた水平方向に回転する散布羽根を有する散布板により落下した肥料を拡散散布する散布部を備えた肥料散布機において、
アジテータと散布部の散布板を同時にそれぞれ異なる回転数で回転させる変速部を散布部下方に設けていて、該変速部は、一つのケース内に内蔵されていて、動力が入力される水平方向の入力軸の一端がケース外前方に延設され、ケース内の入力軸他端に固着された第１ベベルギヤと、該第１ベベルギヤと歯合する第２ベベルギヤが固着され入力軸と直交して垂設された第１回転軸と、該第１回転軸より後方に位置するとともに第１回転軸と平行に垂設された第２回転軸とが設けられ、第１回転軸には歯数の異なるギヤが上下２個設けられ、該ギヤの一方と歯合するギヤが第２回転軸に固着されるとともに、他方のギヤと歯合するギヤは第２回転軸と同軸上に設けた散布板回転軸に固着されていて、散布板回転軸は第２回転軸に外嵌されるとともに第２回転軸に対し回転自在に設けられ、一端がケース外に延設され、さらに第２回転軸の一端が散布板回転軸より上方に延設されて設けられていて、ケース外の第２回転軸には前記アジテータが連結され、散布板回転軸には前記散布羽根を有する散布板が固着されていることを特徴とした肥料散布機。
【発明の詳細な説明】
【技術分野】
【０００１】
本発明は、化成肥料、有機肥料等の被散布物を貯留するホッパを備え、このホッパから落下した被散布物を散布する肥料散布機（ブロードキャスタ）に関するもので、特に、複数の肥料をホッパ内で撹拌混合可能で、混合した後にホッパ底部より落下させ散布板により拡散散布可能な肥料散布機の改良に関する。
【背景技術】
【０００２】
混合機能のない肥料散布機で複数の肥料を散布する場合、異なる肥料ごとに散布が必要であり、混合機能が備えられていることにより一回で散布が可能となり、散布作業を効率よく行なうことが可能となる。このため、化成肥料、有機肥料等の被散布物を貯留するホッパを備え、このホッパ内において肥料の撹拌が可能な機能を有し、このホッパから落下した被散布物を散布する肥料散布機（ブロードキャスタ）が知られている。例えば、特許第３４３６９００号公報の「肥料散布機」（従来技術１）や特許第３０１２８４３号公報の「肥料等の混合および散布が可能なトラクタ装着用肥料散布機」（従来技術２）が開示されている。
【先行技術文献】
【特許文献】
【０００３】
【特許文献１】特許第３４３６９００号公報（従来技術１）
【特許文献１】特許第３０１２８４３号公報（従来技術２）
【発明の概要】
【発明が解決しようとする課題】
【０００４】
肥料散布機は肥料を投入するホッパの上端が低いほど肥料の投入が行いやすく、また、走行機に装着して散布作業を行なう場合にホッパの上端が低いほどホッパ及びホッパ内の肥料の重心が低く抑えられるため、走行に際し安定した走行が得られ、高速作業が可能となり、作業効率の向上が期待できる。しかし、ホッパの一定の容量を確保するとともに、肥料がホッパ内で滞留せずに落下するような形状とするにはホッパの高さには一定の制限がある。また、ホッパ内で複数の肥料を混合する機能を有する肥料散布機においては、混合するためのアジテータの混合性能上からホッパを複雑な形状にすることができなく、一定の高さの制限がある。
【０００５】
このようなことから、ホッパ下方部に位置するアジテータ及び散布板の駆動部である変速部の高さを低く抑えることができるとホッパ上端部の高さを低く抑えることができる。しかし、ホッパ内で複数の肥料を混合する機能を有する肥料散布機においては、散布板の回転数が高速回転であり、一方のアジテータの回転数は比較的低速回転であるため、同時に回転させるためには減速や増速のための複雑な変速機構が必要であり、変速部の大きさを容易に低く抑えることが困難であった。
【０００６】
従来技術１の肥料散布機のミッションケースＭは、「中心駆動軸２を入力軸1に対し減速回転させる伝動機構ｄ１と、外筒軸３を入力軸１に対し略等速ないし増速させて回転させる伝動機構ｄ２」となっていて、一箇所において減速増速が行われているため、縦方向のギヤの径が大きくなり、変速部の縦方向の寸法を低く抑えることに不向きである。
【０００７】
従来技術２の肥料散布機は、変速ケース２０と減速機４が縦方向に連結された状態で設けられていて、縦方向の変速部の寸法を低く抑えることに不向きである。
【０００８】
本発明は、上記の点を鑑みてなされたものであり、肥料散布装置を大型化させることなく構造が簡単で、肥料混合機能を有し、上下方向の高さが低く抑えられた肥料散布機を提供することを目的とする。
【課題を解決するための手段】
【０００９】
上記課題を解決するために、本発明の肥料散布機は、肥料を収容するホッパの内部に肥料を撹拌するためのアジテータを設け、ホッパの底板に排出口を設けるとともに、該排出口を開閉するためのシャッタ板をホッパの底板に対しスライド自在に設け、該ホッパの底板排出口とシャッタ板の重合部位で形成される開口穴の開度量により肥料の落下量の調整を行い、排出口下方に設けた水平方向に回転する散布羽根を有する散布板により落下した肥料を拡散散布する散布部を備えた肥料散布機において、アジテータと散布部の散布板を同時にそれぞれ異なる回転数で回転させる変速部を散布部下方に設けていて、該変速部は、一つのケース内に内蔵されていて、動力が入力される水平方向の入力軸の一端がケース外前方に延設され、ケース内の入力軸他端に固着された第１ベベルギヤと、該第１ベベルギヤと歯合する第２ベベルギヤが固着され入力軸と直交して垂設された第１回転軸と、該第１回転軸より後方に位置するとともに第１回転軸と平行に垂設された第２回転軸とが設けられ、第１回転軸には歯数の異なるギヤが上下２個設けられ、該ギヤの一方と歯合するギヤが第２回転軸に固着されるとともに、他方のギヤと歯合するギヤは第２回転軸と同軸上に設けた散布板回転軸に固着されていて、散布板回転軸は第２回転軸に外嵌されるとともに第２回転軸に対し回転自在に設けられ、一端がケース外に延設され、さらに第２回転軸の一端が散布板回転軸より上方に延設されて設けられていて、ケース外の第２回転軸には前記アジテータが連結され、散布板回転軸には前記散布羽根を有する散布板が固着されていることを特徴とした肥料散布機である。
【発明の効果】
【００１０】
本発明によれば、上下方向の高さを低く抑えた変速部を提供することが可能で、変速部を低く抑えることにより、肥料散布機の全体の高さを低く抑えることが可能となり、ホッパ上端が低いことにより肥料の投入作業が容易になるとともに、散布作業を行なう場合にホッパ及びホッパ内の肥料の重心が低く抑えられるため、安定した走行が得られ、高速作業が可能となり、作業効率が向上する。
【図面の簡単な説明】
【００１１】
【図１】本発明の肥料散布機の側面図である。
【図２】本発明の肥料散布機の正面図である。
【図３】本発明の肥料散布機の断面した側面図である。
【図４】本発明の肥料散布機の変速部の断面した側面図である。
【発明を実施するための形態】
【００１２】
実施の一形態を、図１乃至図４に基づいて説明する。図１は、本発明の肥料散布機の側面図である。肥料散布機は、肥料を投入するホッパ２と肥料を拡散散布する散布部４と入力された動力を変換する変速部５とを備え、フレーム１により保持され構成されている。本例においては、ホッパ２上部に増枠２０が設けられ、投入できる肥料の量を増加させている。増枠２０はホッパ２に取付け式になっていて、取付け取外しが自在にできるようになっている。
【００１３】
図３は、図２のＡ−Ａ線断面図である。ホッパ２は、下方が窄まった漏斗形状をなし、その上面は開口していて、さらにその上に増枠２０が取り付けられている。ホッパ２内には、被散布物としての肥料が貯留される。ホッパ２の底部には、ホッパ底板２２と、これに設けた肥料の排出口２１が備えられている。肥料の排出には、排出口２１を開閉するための孔を有するシャッタ板３０をホッパ底板２２に対しスライド自在に設け、ホッパ底板２２の排出口２１とシャッタ板３０の孔の重合部位で形成される開口穴の開度量により肥料の落下量の調整を行う。
【００１４】
ホッパ底板２２の排出口２１から落下した肥料は、下方に位置する散布部４により水平方向に拡散散布される。散布部４は、平面視放射状に立設させた散布羽根４１を有する水平方向に回転する円盤状の散布板４０と、その上方と被散布方向の一部側方を覆う散布部カバー４４を設け、散布羽根４１を有する散布板４０を高速回転させ、これに落下した肥料を水平方向に拡散散布させる。
【００１５】
ホッパ２内には、ホッパ２中心部に上下方向の回転中心を有したアジテータ６が備えられていて、アジテータ６は、ホッパ２中心部に垂設されたアジテータボス６０と、これに取付けられ先端側がホッパ２内面に接近させて設けた撹拌部材６３とで構成され、ホッパ２内に投入された肥料を回転することにより撹拌混合する。アジテータ６の回転中心と前記散布板４０の回転中心は同一に設けていて、高速で回転する散布板４０に対しアジテータ６は比較的低速で回転して肥料を撹拌混合する。
【００１６】
ホッパ底板２２の排出口２１とシャッタ板３０の重合部位で形成される開口穴の開度量の調整は、ホッパ２前方に設けたシャッタレバー３４の操作により行う。シャッタレバー３４は、フレーム１に進行方向と直交する水平方向の回動軸であるシャッタレバー回動支点軸３７により前後方向回動自在に設けられたレバーアーム３３の上方端部に設けられ、先端にはグリップが設けられていて、レバーアーム３３に対し上下方向の位置が調整自在になっている。レバーアーム３３は側面視くの字状となっていて、中間部はシャッタレバー回動支点軸３７によりフレーム１に回動自在に取付けられる。レバーアーム３３の下方の回動端側には、丸棒状のロッド３２の一端が回動自在に連結されていて、ロッド３２の他端は、フレーム１側に設けた垂直方向の回動軸であるアーム回動軸３５に挿着されて水平方向に回動するシャッタ板作動アーム３１の一端に回動自在に連結される。シャッタ板作動アーム３１の他端は、シャッタ板３０に回動自在に連結されていて、シャッタレバー３４を前後方向に回動させるとシャッタ板３０が前後方向にスライドする。レバーアーム３３のシャッタレバー３４側にはレバーアーム３３の回動位置を示す目盛を設けたシャッタレバーガイド３６が備えられ、レバーアーム３３の回動位置によりシャッタ板３０の開度量が調整される。作業者は目盛を基準にシャッタレバー３４を操作して肥料の落下量を調整する。
【００１７】
散布部４下方には変速部５が設けられていて、変速部５は装着されるトラクタ等の動力を受け入れて、散布部４とアジテータ６を駆動する。変速部５はケース５０内に内蔵されるギヤおよび軸で構成されていて、トラクタ等のＰＴＯ出力軸とユニバーサルジョイント（図示せず）等で連結され動力を受け入れる入力軸５１は、ケース５０の前方側（図３における左側）に突出している。入力軸５１は、ベアリングで回転自在に保持されケース５０内他端部には第１ベベルギヤ５２が固着されている。
【００１８】
第１ベベルギヤ５２には、入力軸５１と直交して垂設する第１回転軸５４に固着された第２ベベルギヤ５３が噛合していて、第１ベベルギヤ５２の歯数は第２ベベルギヤ５３の歯数より少ない歯数に設けてあり、入力軸５１に入力された回転動力は第１回転軸５４に減速されて伝達される。第１ベベルギヤ５２の歯数が少ないことにより、外形が小さくなり上下方向の寸法を少なくできる。
【００１９】
第１回転軸５４の第２ベベルギヤ５３の上方には、平歯車の第１回転軸小ギヤ５４０と第１回転軸大ギヤ５４１が上下に隣接して第１回転軸５４に固着されている。第１回転軸５４の上方端と下方端はベアリングを介してケース５０に回転自在に保持されている。
【００２０】
第１回転軸５４の後方に位置し垂設して平行に設けた第２回転軸５５は、前記アジテータ６の回転中心と前記散布部４の散布板４０の回転中心と同一に配置されている。第２回転軸５５には、前記第１回転軸５４に設けた第１回転軸小ギヤ５４０と第１回転軸大ギヤ５４１とにそれぞれ噛合する第２回転軸ギヤ５５０と散布板回転軸ギヤ５６０が設けられている。第２回転軸５５の下方端はベアリングを介してケース５０に回転自在に保持され第２回転軸ギヤ５５０を固着して設けられている。また、上方端はケース５０外に突出されるとともにホッパ２内まで延設されて、前記アジテータボス６０に連結される。第２回転軸５５のケース５０外に突出される側には、散布板回転軸５６が外嵌されていて、外周部をケース５０にベアリングによって回転自在に保持されているとともに、内周部に設けたベアリングにより第２回転軸５５を回転自在に保持している。散布板回転軸５６のケース５０内下方端には前記散布板回転軸ギヤ５６０が固着され、他方端側はケース５０外に突出されるとともに、散布板４０を取り付ける散布板ボス４２が止めネジ４３により固着されている。散布板４０は散布板ボス４２にボルトにより固着され取り付けられる。
【００２１】
第１回転軸小ギヤ５４０は、第２回転軸ギヤ５５０の歯数より少ない歯数となっていて、入力軸５１に入力された回転動力は第１回転軸５４に減速されて伝達され、さらに減速されて第２回転軸に伝達される。一方、第１回転軸大ギヤ５４１は散布板回転軸ギヤ５６０より歯数が多く設定されていて、第１回転軸５４の回転動力は散布板回転軸５６に増速されて伝達される。従って、前記アジテータ６の回転中心と散布板４０の回転中心は同一に構成されていて、高速で回転する散布板４０に対しアジテータ６は比較的低速で回転して肥料を撹拌混合することができる。第１回転軸小ギヤ５４０、第１回転軸大ギヤ５４１、第２回転軸ギヤ５５０、散布板回転軸ギヤ５６０は本例においては平歯車で構成したが、はすば歯車で構成してもよい。
【００２２】
ケース５０の外に突出してホッパ２内まで延設された前記第２回転軸５５の端部には、延長シャフト６４が固着連結され、増枠２０上端面位置まで延長されている。また、延長シャフト６４外周にはアジテータボス６０が外嵌されていて、延長シャフト６４とアジテータボス６０のそれぞれの上端部に設けた水平方向の平板状のフランジ双方を垂直方向のシャーボルト６２により締結して連結している。締結しているシャーボルト６２は、アジテータ６に過剰な負荷が作用したときに切断されてアジテータ６への動力を遮断して変速部５を保護する。本例の肥料散布機は、ホッパ２上端面付近においてアジテータボス６０を増枠２０に固定したアジテータ保持ボス６１により回転自在に保持している。
【００２３】
アジテータボス６０には、一端をホッパ２内壁に接近して設けた撹拌部材６３が取り付けられ、アジテータボス６０が回転することにより、撹拌部材６３がホッパ２内周を回転して、投入された肥料を撹拌混合する。
【００２４】
フレーム１前方部には、トラクタに装着する為のロワリンクピン１０とトップリンクピン孔１１が設けられていて、ロワリンクピン１０は入力軸５１の左右位置にそれぞれ設けられ、トップリンクピン孔１１はその上方部中央に設けられている。ロワリンクピン１０とトップリンクピン孔１１はそれぞれトラクタの３点リンクヒッチ機構（図示せず）のロワリンクとトップリンクに連結されて装着される。
【００２５】
次に、本発明の肥料散布機において肥料を散布する場合を説明する。フレーム１前方部のロワリンクピン１０とトップリンクピン孔１１とをトラクタの３点リンクヒッチ機構に連結して、走行機であるトラクタに肥料散布機を装着する。トラクタ後方の動力取出し軸であるＰＴＯ軸と変速部５の入力軸５１とをユニバーサルジョイント(図示せず)で連結してトラクタから動力を入力する。
【００２６】
入力軸５１に伝達された回転動力は、入力軸５１に固着された第１ベベルギヤ５２からこれと噛合する第２ベベルギヤを介して、入力軸５１と直交して垂設された第１回転軸５４に伝達される。このとき、第１ベベルギヤ５２の歯数は第２ベベルギヤ５３の歯数より少なく設定されているため、入力軸５１の回転数より第１回転軸５４の回転は減速される。
【００２７】
第１回転軸５４には、歯数の異なる平歯車が二つ設けられていて、歯数が少ない第１回転軸小ギヤ５４０は、第１回転軸５４と平行に垂設して後方側に設けた第２回転軸５５に固着された第２回転軸ギヤ５５０に噛合している。第２回転軸ギヤ５５０は第１回転軸小ギヤ５４０より歯数が大きいため、第１回転軸５４の回転動力はさらに減速されて第２回転軸５５に伝達される。
【００２８】
ケース５０の外上方に延設された、ホッパ２内の第２回転軸５５端部には、延長シャフト６４が連結され、更に上方に延長されている。そして、ホッパ２上方に設けた増枠２０上端位置で延長シャフト６４に外嵌されたアジテータボス６０と連結される。アジテータボス６０には、一端をホッパ２内壁に接近して設けた撹拌部材６３が取り付けられていて、入力軸５１に伝達された回転動力は、第１ベベルギヤ５２、第２ベベルギヤ５３、第１回転軸小ギヤ５４０、第２回転軸ギヤ５５０を介して減速され、アジテータボス６０を回転させる。これにより、アジテータボス６０に取り付けられた撹拌部材６３はホッパ２内周を旋回して、ホッパ２内に投入された肥料等を撹拌混合する。このとき、延長シャフト６４とアジテータボス６０との連結部はシャーボルト６２により締結して連結されていて、アジテータ６に過負荷が作用したときに切断して変速部５を保護する。作業者は、ホッパ２内に複数の肥料を投入し、散布前にアジテータ６を駆動させて撹拌して均一に混合する。
【００２９】
第１回転軸５４の一方の歯数の多い平歯車である第１回転軸大ギヤ５４１は、第２回転軸５５の出力側に外嵌され、第２回転軸５５に対し回転自在に設けた散布板回転軸５６の散布板回転軸ギヤ５６０と噛合していて、散布板回転軸ギヤ５６０は第１回転軸大ギヤ５４１より歯数が少なく設定されているため、第１回転軸５４の回転動力は増速されて散布板回転軸５６に伝達される。散布板回転軸５６のケース５０外側に延設された端部は、第２回転軸より短く設けられていて、散布板ボス４２が取り付けられ、散布板ボス４２には散布板４０が水平に取付けられる。入力軸５１に入力された回転動力は、第１ベベルギヤ５２、第２ベベルギヤ５３、第１回転軸大ギヤ５４１、散布板回転軸ギヤ５６０を介して伝達され、散布板回転軸５６を第２回転軸５５より高速で回転させる。
【００３０】
トラクタに乗車した作業者は、肥料がホッパ２内で均一に混合されたのを確認して、散布圃場にてシャッタレバー３４を操作してホッパ２底部に設けたシャッタ板３０を所定量開くと、ホッパ２下方で高速回転する散布板４０に肥料が落下して、散布板４０と散布羽根４１により水平方向に拡散散布される。
【符号の説明】
【００３１】
１    フレーム
１０  ロワリンクピン
１１  トップリンクピン孔
２    ホッパ
２０  増枠
２１  排出口
２２  ホッパ底板
３    シャッタ部
３０  シャッタ板
３１  シャッタ板作動アーム
３２  ロッド
３３  レバーアーム
３４  シャッタレバー
３５  アーム回動軸
３６  シャッタレバーガイド
３７  シャッタレバー回動支点軸
４    散布部
４０  散布板
４１  散布羽根
４２  散布板ボス
４３  止めネジ
４４  散布部カバー
５    変速部
５０  ケース
５１  入力軸
５２  第1ベベルギヤ
５３  第２ベベルギヤ
５４  第１回転軸
５４０  第１回転軸小ギヤ
５４１  第１回転軸大ギヤ
５５  第２回転軸
５５０  第２回転軸ギヤ
５６  散布板回転軸
５６０  散布板回転軸ギヤ
６    アジテータ
６０  アジテータボス
６１  アジテータ保持ボス
６２  シャーボルト
６３  撹拌部材
６４  延長シャフト
【図１】
2014233212.tif 000003
【図２】
2014233212.tif 000004
【図３】
2014233212.tif 000005
【図４】
2014233212.tif 000006